(57)【要約】      （修正有）【課題】本発明は、擬似移動床分離プロセスにおいて使用するための、直列のカラムのアセンブリの一部を形成するカラムの供給又はカラムからの収集のためのデバイスを提供する。【解決手段】各カラムの非選択的容積を正に実質的に減少させるために、分配及び収集チャネルは、流体が一定速度で流れる可変部を備え、外形形状は、この一定速度を正確に生成するように画定される。【選択図】図１
2019000842.tif 000002
【特許請求の範囲】
【請求項１】
複数の成分への分離を行うためのカラムに収容された粒状固体の床における流体の分配又は収集のためのデバイスであって、
−  流入流体は、その中を流体が一定速度で流れる可変部を備えた分配チャネルによって分配され、
−  流出流体は、その中を流体が一定速度で流れる可変部を備えた分配チャネルによって収集され、分配チャネル及び収集チャネルの外形の形状は、この一定速度を正確に生成するように画定される、デバイス。
【請求項２】
分配チャネルの壁が、前記分配チャネルにおける一定速度Ｖｃｈａｎｎｅｌを保証することができる形状を有しており、前記速度が、０．１〜５ｍ／ｓの範囲に、理想的には０．５〜２．５ｍ／ｓの範囲にある、請求項１に記載の流体の分配又は収集のためのデバイス。
【請求項３】
スクリーン（５）から定義される分配チャネルの高さｈｓｕｐ（ｒ）が、半径方向座標ｒの関数として、以下のプロファイル：
2019000842.tif 000008
（式中、ＶＳＬは、粒状床における流体の空塔速度であり、カラムの断面に対する体積流量の比として定義され、そしてＲは、カラムの半径であり、そしてＶｃｈａｎｎｅｌは、分配チャネルにおける流体の速度である）
を有する、請求項２に記載の流体の分配又は収集のためのデバイス。
【請求項４】
分配チャネル（３）の壁（４）が、分配チャネルにおける一定速度Ｖｃｈａｎｎｅｌ及び粒状床（６）における均一な流れの分布を保証することができる形状を有しており、前記速度が、０．１〜５ｍ／ｓの範囲に、好ましくは０．５〜２．５ｍ／ｓの範囲にある、請求項１に記載の分配又は収集デバイス。
【請求項５】
カラムの軸から測られた壁（４）の半径方向位置、ｒｄｉｓｔｒｉｂ（ｚ）が、理想的には以下のプロファイル：
2019000842.tif 000009
（式中、Ｈｂｅｄは、カラムの全高であり、そしてｚは、カラムへの流体の入口から測られた軸方向座標である）
を有する、請求項４に記載の分配又は収集デバイス。
【請求項６】
壁（９）によって画定される収集チャネルが、式：
2019000842.tif 000010
（式中、Ｅｂｅｄは、半径方向に定義される床の厚さである）
に従う軸方向座標ｚの関数である半径方向プロファイルｒｃｏｌｌｅｃｔ（ｚ）を有する、請求項４に記載の分配又は収集デバイス。
【請求項７】
粒状固体の床の内部における流体の循環が軸方向であり、そして床への注入が、実質的にカラムの垂直軸を中心とする導管（２）によって行われ、これにより、壁（４）によって画定される水平分配チャネル（３）に供給し、次いで粒状固体の床（６）が、前記分配チャネル（３）からスクリーン（５）を通って供給され、そして流体が、粒状床（６）を通って実質的に垂直方向に流れ、次いで流体が、スクリーン（７）の下に収集され、曲面壁（９）によって画定される収集チャネル（８）から、外縁導管（１０）を経由し、そして流れ全体が、実質的にカラムの垂直軸を中心とする単一の排出導管（１１）に収集される、請求項１〜３のいずれか一項に記載の収集デバイスを使用した擬似移動床プロセス。
【請求項８】
粒状固体の床の内部の流体の循環が半径方向に行われ、流体が、導管（２）を介してカラムの中心に導入され、これにより、壁（４）によって中心に画定される中央チャネル（３）に供給し、次いで粒状床（６）を中心から外縁（スクリーン（５）及び（７）によって画定される）に向けて通過し、ここで、壁（９）によって外側に画定される外縁ゾーン（８）に収集され、これにより液体を、実質的にカラムの軸を中心とする排出導管（１１）に外縁導管（１０）を介して戻す、請求項４〜６のいずれか一項に記載の収集デバイスを使用した擬似移動床プロセス。
【請求項９】
分離すべき供給材料が７〜９個の炭素原子を含む芳香族化合物の任意の混合物である、請求項１〜６のいずれか一項に記載のデバイスを使用した擬似移動床分離プロセス。
【請求項１０】
分離すべき供給材料がノルマルパラフィンとイソパラフィンとの混合物である、請求項１〜６のいずれか一項に記載のデバイスを使用した擬似移動床分離プロセス。
【請求項１１】
分離すべき供給材料がノルマルオレフィンとイソオレフィンとの混合物である、請求項１〜６のいずれか一項に記載のデバイスを使用した擬似移動床分離プロセス。
【請求項１２】
デバイスを通過する主流体が６００〜９５０ｋｇ／ｍ３の範囲の密度及び０．１〜０．６ｃＰｏの範囲の粘度を有する、請求項１〜６のいずれか一項に記載のデバイスを使用した擬似移動床分離プロセス。
【発明の詳細な説明】
【技術分野】
【０００１】
（発明の内容）
本発明は、粒状媒体として知られている固体粒子の媒体中の流体の流れを用いた、直列のＮ−カラム系における流体の分配及び収集のための新規なデバイスに関する。
【０００２】
Ｎ個の別個の又は積み重ねられたカラムを連結したもの（すなわち、共通のエンベロープ内に配置されている）は、直列のＮ−カラム系と称される。各カラムは、その中を主流体が流れる粒状媒体の床を収容している。Ｎ個のカラムは、必要に応じて二次流体の注入／混合又は抜き出しを可能にする導管系を介して互いに接続され、これらの注入及び抜き出しはカラム間で行われる。
【０００３】
本発明は、主流体を床の底部から、若しくはカラムの全区画から収集するために、又は相互に、前記流体をカラム間導管から次のカラムに移動させるために使用することができるデバイスに関する。
【０００４】
本発明は、本質的に、カラムの底部に位置する収集ゾーン又は分配ゾーンの配置からなる。
【０００５】
本発明は、非選択的ゾーンとして知られているゾーンの容積を実質的に最小化しながら、床の頭部の分配ゾーン及び床の底部の収集ゾーンを構成している非選択的（すなわち、粒状媒体の外側）と称される２つのゾーンの間のカラムにおける流体の滞留時間の分散の有利な補償を提供するために使用され得る。
【０００６】
実際には、本発明は、プロセスが必要とする高レベルの純度及び収率を保証するために、床、分配系、及び注入／収集系における流体流の集合の同期性が特に重要である擬似移動床（ＳＭＢ：simulated moving bed）分離プロセスに関する。以下では、簡潔化のために、これを流体同期性と称することとする。
【０００７】
「流体同期性（fluid synchronicity）」という用語は、カラム断面を並行して移動する複数の流体チャネルに頭の中で分割した場合に、流体チャネルの全てが、可能な限り、同じ滞留時間（カラムの入口からの出口まで）を有する必要があることを意味する。
【０００８】
さらに、非選択的ゾーンの容積が少しでも増加すると、同じ性能レベルで、設備内のポンプ周りの流れの望ましくない増加を引き起こし、このことは、プロセスの選択性の問題となるか、又はプロセス全体のエネルギー消費を増加させる。
【背景技術】
【０００９】
（従来技術の検討）
従来技術は、多段カラム、すなわち、実質的に垂直な軸に沿って配置された複数のプレートによって構成され、各プレートが粒状固体の床を支持しているカラムのための分配器の寸法決めの方法を開示している。
【００１０】
特許文献１、特許文献２は、特に、多段カラム用の擬似移動床吸着の場合に使用される分配／混合デバイスの例を提供している。これらのデバイスは、上流の床から来る主流体の収集、及び該主流体と二次流体の混合、並びに下流の床への混合物の再分配の連続的な機能を遂行する。
【００１１】
これらの特許は、カラムの断面をパネル又は半径方向セクタに分割することを記載している。
【００１２】
従来技術はまた、分離に関して必要とされる性能を得るために、分配系における良好な同期性を保証することの重要性を教示している。
【００１３】
特に、特許文献３は、カラムの入口の分配器プレートの直前又は直後の非選択的ゾーンにおいて、滞留時間に対する補償エレメント、バッフルを追加することを提案している。
【００１４】
非特許文献１は、非選択的容積の増加は純度の低下及び脱着剤消費量の増加をもたらすため、それらの容積を減らすことの重要性を教示している。
【００１５】
特許文献４は、粒状床に供給することを意図した接触チャンバであって、気相又は液相を２つの反対方向に横方向に導入するために使用することができる側方孔を有するチャンバを記載している。そのテキストの図３は、直線状の壁を有するテーパー形状のチャネルを示している。
【００１６】
特許文献５は、流体を１つの床から次の床へ通過させる、流体の分配のための装置を記載している。該装置は、固体を保持するためのスクリーンと、スクリーンの間に位置しており、かつ厚みが減少していく偏向板とによって特徴付けられる。それらの系はいずれも、滞留時間を補償することを目的としたデバイスは開示していない。
【先行技術文献】
【特許文献】
【００１７】
【特許文献１】欧州特許第００７４８１５号明細書
【特許文献２】米国特許出願公開第２００６／０１０８２７４号明細書
【特許文献３】仏国特許発明第２９３３０００号明細書
【特許文献４】米国特許第３２１４２４７号明細書
【特許文献５】米国特許第３７８９９８９号明細書
【非特許文献】
【００１８】
【非特許文献１】アメリカン  インスティチュート  オブ  ケミカル  エンジニアズ  ジャーナル（American Institute of Chemical Engineers (AIChE) Journal）、２０１６年１月、６２巻、１号に掲載された、シルバ  Ｍ．（Silva M.）、ロドリゲス  Ａ．（Rodrigues A.）、及びモタ  Ｊ．（Mota J.）による先行技術文献「工業スケールの擬似移動床パレックス（parex）ユニット又はｐ−キシレン精製の性能に対する死容積の影響（Effect of dead volumes on the performance of an industrial-scale simulated moving-bed parex unit or p-xylene purification）」
【発明の概要】
【課題を解決するための手段】
【００１９】
Ｎ−カラム系を備えた擬似移動床を用いることは、注入及び収集、並びに系内の２つのカラム間の単一点における混合が確実になることを意味する。このタイプの構成は、それにより、ポンプ周りの流れによってすすがれない体積を最小化するため、すすぎに関する問題を克服する。この利点に加えて、本発明は、その幾何学的形状が、非選択的であるとされるゾーンにおける滞留時間を最小化しながら、流体が粒状床を通過する際に通る経路にかかわらず、確実に流体の滞留時間をほぼ等しくすることができるデバイスを導入する。
【図面の簡単な説明】
【００２０】
全ての図は下降流モードを表しているが、本発明は上向流モードに関して厳密に対称的である。
【図１】頭部に流体の分配のためのデバイスを、かつ底部に収集デバイスを備えたカラム全体の概略図を表す。
【図１ａ】外縁部の収集系の位置が見えるようにした上面図である。
【図２】本発明に係る収集系を備えた、流体が半径方向流モードにあるとされる変形例におけるカラムの概略図を表す。
【発明を実施するための形態】
【００２１】
（発明の簡単な説明）
本発明は、粒状固体の床を含むカラムにおける流体の分配及び収集のためのデバイスであって、ユニットが、一般に、直列に配置されているいくつかのカラムから構成されている、デバイスと定義することができる。
【００２２】
このデバイスは、本出願の一部を形成する実施例に示すように、非選択的容積と称される容積を、これらのゾーンの分散を実質的に最小化することによって、実質的に減少させるために使用することができるため、擬似移動床分離プロセスに特に適している。
【００２３】
以下では、用語「流入流体（incoming fluid）」は、カラムに入る流体を示すために使用し、「流出流体（outgoing fluid）」は、カラムから出る流体を示すために使用することとする。
【００２４】
本発明のデバイスを使用したプロセスは、一般に、各カラムが本発明に係るデバイスを流入流体を導入するための手段又は流出流体を収集するための手段のいずれかとして使用している、複数のカラムを直列に使用する。
【００２５】
これらのカラムの粒状床内の流体流れは、軸方向であっても、又は半径方向であってもよい。
【００２６】
本発明に係るデバイスを導入手段又は収集手段のいずれかとして備えた一連のカラムの任意の配置が、本発明の範囲内に入ることとなる。
【００２７】
したがって、より正確には、本発明は、粒状固体の床を備えた１又は複数のカラムにおける、流体の分配のための、又は流出流体の収集のためのデバイスとして定義され得、ここで：
−  流入流体は、その中を流体が一定速度で流れる可変部を備えた分配チャネルによって分配され、
−  流出流体は、その中を流体が一定速度で流れる可変部を備えた分配チャネルによって収集される。
【００２８】
特に、本発明のデバイスは、直列に配置された複数のカラムを使用した擬似移動床分離プロセスに適用可能である。
【００２９】
この場合、図１及び図１．ａに示す第１の変形例によれば、本発明に係る収集デバイスを使用した擬似移動床プロセスは、以下のように説明され得る：
粒状固体の床の内部における流体の循環は軸方向であり、そして床への注入は、実質的にカラムの垂直軸を中心とする導管（２）によって行われ、これにより、曲面壁（４）によって画定される水平分配チャネル（３）に供給し、次いで粒状固体の床（６）は、前記分配チャネル（３）からスクリーン（５）を通って供給され、そして流体は、粒状床（６）を通って実質的に垂直方向に流れ、次いで流体は、スクリーン（７）の下に収集され、曲面壁（９）によって画定される収集チャネル（８）から、外縁導管（１０）を経由し、次いで流れ全体が、実質的にカラムの垂直軸を中心とする単一の排出導管（１１）に収集される。
【００３０】
図２に示す第２の変形例によれば、本発明に係る分配デバイスを使用したプロセスは、以下のように記載され得る：
粒状固体の床の内部の流体の循環は半径方向に行われ、流体は、導管（２）を介してカラムの中心に導入され、これにより、壁（４）によって中心に画定される中央チャネル（３）に供給し、次いで粒状床（６）を中心から外縁（スクリーン（５）及び（７）によって画定される）に向けて通過し、ここで、壁（９）によって外側に画定される外縁ゾーン（８）に収集され、これにより液体を、実質的にカラムの軸を中心とする排出導管（１１）に外縁導管（１０）を介して戻す。
【００３１】
本発明に係るデバイスを使用した擬似移動床分離プロセスは、分離すべき供給材料が７〜９個の炭素原子を含む芳香族化合物の任意の混合物であるようなものであり得る。
【００３２】
本発明に係るデバイスを用いた擬似移動床分離プロセスは、分離すべき供給材料がノルマルパラフィンとイソパラフィンとの混合物であるようなものであり得る。
【００３３】
本発明に係るデバイスを用いた擬似移動床分離プロセスは、分離すべき供給材料がノルマルオレフィンとイソオレフィンとの混合物であるようなものであり得る。
【００３４】
本発明に係るデバイスを用いた擬似移動床分離プロセスは、前記デバイスを通過する主流体が６００〜９５０ｋｇ／ｍ３の範囲の密度及び０．１〜０．６ｃＰｏの範囲の粘度を有するようなものであり得る。
【００３５】
（発明の詳細な説明）
本発明が克服しようとする課題は、各カラムが粒状床を備えた直列のＮ−カラム系の非選択的ゾーンにおける滞留時間の差を制限するという課題である。これらの差は、実際、前記非選択的ゾーンの容積（以下、簡単にするために、非選択的容積と称する）を最小化する一方で分離性能を低下させるが、このことは、非選択的ゾーンを有しない系と同じレベルの性能に対して、設備のポンプ周りの流れの望ましくない増加をもたらす。
【００３６】
本発明は、カラムの全区画の規模で分配／収集系における流体の良好な同期性を保証するために使用することができ、かつ、分配チャネル及び収集チャネルの形状を適切に調整することによって非選択的容積も小さくする、系に関する。
【００３７】
本発明に係るカラムは、以下の２つの流れモードにまとめられ得る：
−  粒状床の内部の流れが、本質的に、カラムの垂直軸に沿っている、軸方向モード。
【００３８】
−  粒状床の内部の流れが、本質的に、外縁からカラムの中心に向かうか、又はカラムの中心から外縁に向かう、半径方向モード。
【００３９】
流れモードの関数としてのカラムの寸法は以下のとおりである：
−  軸方向モードの場合、１〜１５ｍの範囲、好ましくは７〜１２ｍの範囲の直径。粒状床の高さは、０．２〜１．５ｍの間、好ましくは０．４〜１ｍの間で変化する。
【００４０】
−  半径方向モードの場合、１．５〜１５ｍの範囲の直径、１〜２００ｍ２の範囲、好ましくは５〜８０ｍ２の範囲の断面を呈することができる高さ。粒状床の断面は、流入収集器から流出収集器までの半径の関数として変化する。粒状床の厚さは０．２〜１．５ｍの間、好ましくは０．４〜１ｍの間で変化する。
【００４１】
注入及び収集並びに混合は、系（１）の２つのカラム間の単一点で行われる。
【００４２】
図１に示す第１の実施形態によれば、床は軸方向モードにあり、床への注入は、実質的にカラムの垂直軸を中心とする導管（２）によって行われ、これにより、噴流によって水平分配チャネル（３）に供給する。一般に、分配チャネルは、図１には示されていない噴流破砕器を備えている。分配チャネル（３）の壁（４）は、分配チャネル（３）における一定速度Ｖｃｈａｎｎｅｌを確実にすることができる形状を有しており、このことは、非選択的容積を根本的に最小化することができること、及び、粒状床（６）において均一な流れの分布を得ることができることを意味する。
【００４３】
この速度は０．１〜５ｍ／ｓの範囲に、理想的には０．５〜２．５ｍ／ｓの範囲にある。スクリーン（５）から定義されるチャネル（３）の高さ、ｈｓｕｐ（ｒ）は、半径方向座標ｒの関数として、理想的には以下のプロファイルに従う：
【００４４】
2019000842.tif 000003
【００４５】
（式中、ＶＳＬは、粒状床における流体の空塔速度であり、カラムの断面に対する体積流量の比として定義され、そしてＲは、カラムの半径である）
【００４６】
次いで粒状床（６）は、分配チャネル（３）からスクリーン（５）を通って供給される。
【００４７】
流体は、粒状床（６）を通って実質的に垂直方向に流れる。
【００４８】
次いで流体は、スクリーン（７）の下の収集チャネル（８）に収集される。
【００４９】
収集チャネル（８）の壁（９）は、理想的には以下のプロファイルを有する：
【００５０】
2019000842.tif 000004
【００５１】
このプロファイルは、導管（２）を通る入口と導管（１１）を通る出口との間の全ての流体流の滞留時間が等しいことを意味する。
【００５２】
図１の壁４及び９の表示は図式的なものであり、数学的形状には対応していない。
【００５３】
この実施形態によれば、チャネル（８）から出る流体は、図１．ａに見られるように、外縁に位置する導管系（１０）を介して収集され、これにより、排出導管（１１）に流出流体を収集する。
【００５４】
導管（１０）の数は、一般に４〜２０の間、好ましくは６〜１２の間で変化する。
【００５５】
導管断面の寸法は、１〜８ｍ／ｓの範囲の流体速度を確実にするようなものとなる。
【００５６】
さらに、本発明の範囲は、分配系と収集系を逆転させること、すなわち、より正確には、上記の分配系を収集系として使用し、かつ上記の収集系を分配系として使用することによって、分配系と収集系を逆転させることを包含する。
【００５７】
一連のカラムを含む工業ユニットでは、これらのカラムは、本発明に係る分配系を有するものであっても、又は、むしろ、本発明に係る収集系を有するものであってもよい。また、カラムを交互に、すなわち、本発明に係る収集系を備えたカラムの次に本発明に係る分配系を備えたカラムを接続することも可能である。
【００５８】
図２に示す第２の実施形態によれば、床は半径方向に作動し、床への注入は、垂直導管（２）によって、又は壁（４）によって中心に画定される実質的にカラムの中心に位置する環状管によって行われる。
【００５９】
分配チャネル（３）の壁（４）は、分配チャネルにおける一定速度Ｖｃｈａｎｎｅｌ及び粒状床（６）における均一な流れの分布を保証することができる形状を有する。この速度は０．１〜５ｍ／ｓの範囲に、理想的には０．５〜２．５ｍ／ｓの範囲にある。カラムの軸から測られた壁（４）の半径方向位置、ｒｄｉｓｔｒｉｂ（ｚ）は、カラムへの流体の入口から測られた軸方向座標ｚの関数として、理想的には以下のプロファイルを有する：
【００６０】
2019000842.tif 000005
【００６１】
（式中、Ｈｂｅｄは、粒状床の全高である）
【００６２】
液体は、床（６）内を床の中心から床の外縁に向かって半径方向に流れ、外縁ゾーン（８）に収集される。カラムの軸から測られた壁（９）の半径方向位置、ｒｃｏｌｌｅｃｔ（ｚ）は、カラムへの流体の入口から測られた軸方向座標ｚの関数として、理想的には以下のプロファイルを有する：
【００６３】
2019000842.tif 000006
【００６４】
（式中、Ｅｂｅｄは、半径方向に定義される床の厚さである）
【００６５】
図２に示す表示は図式的なものであり、ｒｄｉｓｔｒｉｂ（ｚ）及びｒｃｏｌｌｅｃｔ（ｚ）の数学的形状を再現するものではない。
【００６６】
流れ全体が、流出流体を排出導管（１１）に導く、外縁に位置する導管系（１０）によって収集される。
【００６７】
全てのカラムが本発明に係る分配系を有するか、又はカラム全てが本発明に係る収集系を有するかのいずれかである。また、カラムを交互に、すなわち、本発明に係る収集系を備えたカラムの次に本発明に係る分配系を備えたカラムを接続することも可能である。
【００６８】
上に説明したように、本発明の範囲は、分配系と収集系を逆転させること、すなわち、より正確には、上記の分配系を収集系として使用し、かつ上記の収集系を分配系として使用することによって、分配系と収集系を逆転させることを包含する。
【００６９】
本発明はまた、分離すべき供給材料が７〜９個の炭素原子を含む芳香族化合物の任意の混合物である、本発明に係るデバイスを用いた擬似移動床分離のためのプロセスと記載され得る。
【００７０】
本発明はまた、分離すべき供給材料がノルマルパラフィンとイソパラフィンとの混合物である、本発明に係るデバイスを用いた擬似移動床分離のためのプロセスと見なされ得る。
【００７１】
本発明はまた、分離すべき供給材料がノルマルオレフィンとイソオレフィンとの混合物である、本発明に係るデバイスを用いた擬似移動床分離のためのプロセスと見なされ得る。
【００７２】
本発明はまた、デバイスを通過する主流体が６００〜９５０ｋｇ／ｍ３の範囲の密度及び０．１〜０．６ｃＰｏの範囲の粘度を有する、本発明に係るデバイスを用いた擬似移動床分離のためのプロセスと見なされ得る。
【実施例】
【００７３】
従来技術に係る例及び本発明に係る例
高さ１ｍの粒状床を含む直径１０ｍのカラムを検討する。７２５ｋｇ／ｍ３の密度及び０．２ｃＰの粘度を有する流体の流れが、２ｃｍ／ｓの空塔速度でカラムの内部で生じる。この空塔速度は、空（free）であるとみなされるカラムの区画に渡って計算される。
【００７４】
仏国特許第２９３３０００号に示されている従来技術は、滞留時間の分布を補正するためのバッフルの寸法決めの方法を説明している。環状部分（縁、バッフルと、カラムの壁との間の液体の通路）とカラムの総断面との間の比は、該特許の実施例のものと同じ、すなわち８．３％になるように選択した。当業者であれば、分配チャネル及び収集チャネル並びに分配導管及び収集導管における最大流速を得るであろうが、この流速は前記チャネル及び前記導管の寸法決めに役立つ。この例では、２．５ｍ／ｓの最大速度を使用した。この従来技術に従って寸法を決めた場合、１３．２ｍ３の非選択的容積（分布及び収集）となる。
【００７５】
本発明に従い、かつ、粒状床における分散を増加させないように１ｍ／ｓのチャネルの寸法決め速度（dimensioning velocity）を使用すると、非選択的ゾーンの容積は２．２ｍ３となった。
【００７６】
当業者であれば、床における同等の理論段高さを保持するために許容される最大圧力降下が１ｍｍであるという推論に基づいて、１ｍ／ｓの速度を算出し、調整し得る。
【００７７】
したがって、本発明は、米国特許第３２１４２４７号によって表される従来技術と比較して、非選択的容積を二分の一にすることができ、仏国特許発明第２９３３０００号に定義されるより古い従来技術を使用して計算された非選択的容積をほぼ四分の一とすることができる。
【００７８】
これらの容積の減少は、滞留時間の分散を減少させることによって達成される。実際、非選択的容積及びばらつきの減少は、擬似移動床分離プロセスの性能を維持するための必須要素である。
【００７９】
【表１】
2019000842.tif 000007
【符号の説明】
【００８０】
（１）系
（２）導管
（３）分配チャネル（図１）
（３）中央チャネル（図２）
（４）壁
（５）スクリーン
（６）粒状床
（７）スクリーン
（８）収集チャネル（図１）
（８）外縁ゾーン（図２）
（９）壁
（１０）外縁導管
（１１）排出導管
【図１】
2019000842.tif 000011
【図１ａ】
2019000842.tif 000012
【図２】
2019000842.tif 000013
【外国語明細書】
2019000842000001.pdf